(57)【要約】      （修正有）【課題】パズルを組み立てることを補助できるジグソーパズルおもちゃを提供する。【解決手段】主体１１を含み、主体１１の上側にはカバー板１２が設置され、カバー板１２の右端が主体１１の右側の上端に回転できるように連結され、カバー板１２の下端面の左端には引っ掛かりフック４５が固定的に設置され、主体１１の左端面の上端には引っ掛かりフック４５を引っ掛からせることができる引っ掛かりブロック４６が固定的に設置され、本装置はパズルの断片を指定された区域に置いて組み立てることができ、また自分でパズルの断片とパズルに対応している参照図を入れ替えることができ、需要に応じてパズルを組み立てる時に参照図を使用するかどうかを選択でき、それに収納性に優れており、パズルが散らばることと落ちることを防止できる。【選択図】図１
2020175064.tif 000002
【特許請求の範囲】
【請求項１】
主体を含み、前記主体の上側にはカバー板が設置され、前記カバー板の右端が前記主体の右側の上端に回転できるように連結され、前記カバー板の下端面の左端には引っ掛かりフックが固定的に設置され、前記主体の左端面の上端には前記引っ掛かりフックを引っ掛からせることができる引っ掛かりブロックが固定的に設置され、前記主体の中には上方に開口したパズル組み立てチャンバが設置され、前記パズル組み立てチャンバの中の底部には透明板が固定的に設置され、前記パズル組み立てチャンバの左側には上方に開口した保存チャンバが設置され、乱されたパズルの断片を前記保存チャンバの中に保存し、前記パズル組み立てチャンバの下側には遮り装置が設置され、前記遮り装置の下側には入れ替え装置が設置され、前記入れ替え装置の中には挟み装置が設置され、使用しない時、前記カバー板により前記パズル組み立てチャンバと前記保存チャンバとを密封でき、前記パズル組み立てチャンバの中の組み立てられたパズルが散らばることを防止し、且つ前記パズル組み立てチャンバと前記保存チャンバの中のパズルが落ちることを防止し、前記入れ替え装置により組み立てるパズルの完全な図案を前記パズル組み立てチャンバの下側に置き、且つ前記挟み装置によりパズルの断片の左右両端をきつく挟み、前記透明板を通して図案を見られ、またパズルを組み立てることを補助でき、難易度を上げようとする時、前記遮り装置により図案を遮ることができ、子供に自分の画像への識別能力によりパズルを組み立てさせ、
前記入れ替え装置を開けば前記挟み装置を開けられ、前記遮り装置により図案を使用してパズルを組み立てるのを補助するかどうかを選択することを特徴とするパズルを組み立てることを補助できるジグソーパズルおもちゃ。
【請求項２】
前記遮り装置は前記パズル組み立てチャンバの下側に連通して設置されている布巻きチャンバを含み、前記布巻きチャンバの中の左右両側には布巻き筒が対称的に設置され、前記布巻き筒には遮り布が巻き付いており、前記遮り布の両端がそれぞれ左右両側の前記巻布筒に固定され、且つ巻き付いており、前記遮り布は左半分の白い布と右半分の透明プラスチックからなり、前記布巻き筒の後端には回転軸が固定的に連結され、前記布巻きチャンバの後側にはプーリチャンバが設置され、前記回転軸の後端が前記プーリチャンバの中に伸びており、且つ前記回転軸の後端にはタイミングプーリが固定的に設置され、前記タイミングプーリの間には伝動ベルトが巻き付いており、左側の前記タイミングプーリの後端には動力軸が固定的に連結され、前記動力軸の後端が外部に伸びており、且つ前記動力軸の後端には回転盤が固定的に連結されており、
前記回転盤を回転させて前記布巻き筒を回転連動させ、前記遮り布を巻き、且つ前記白い部分と透明な部分を切り替えることを特徴とする請求項１に記載のパズルを組み立てることを補助できるジグソーパズルおもちゃ。
【請求項３】
前記入れ替え装置は、前記布巻きチャンバの下側に連通して設置され、且つ前に開口した入れ替えチャンバを含み、前記入れ替えチャンバの中には入れ替え板がスライドできるように設置され、前記入れ替え板の前端には取っ手が固定的に設置され、前記入れ替え板の中には上に開口した参照図チャンバが設置され、前記挟み装置が前記参照図チャンバの左右両側に対称的に設置され、前記参照図チャンバの左右両壁にはリミット溝が対称的に連通して設置され、前記リミット溝の中には前記入れ替え板に固定的に連結されているリミットブロックがスライドできるように設置されており、
前記取っ手により前記入れ替え板を外部に引き出すことができ、それにより前記参照図チャンバの中の参照図を入れ替えることができることを特徴とする請求項１に記載のパズルを組み立てることを補助できるジグソーパズルおもちゃ。
【請求項４】
前記挟み装置は前記参照図チャンバの左右両壁の中に対称的に連通して設置されているガイド溝を含み、前記ガイド溝のうち中心から離れている片側には昇降チャンバが連通して設置され、前記昇降チャンバの中には昇降ロッドがスライドできるように設置され、前記昇降ロッドのうち中心に接近している側の端面の上端には前記ガイド溝にスライドできるように連結されているガイドブロックが固定的に連結され、前記ガイドブロックのうち中心に接近している一端が前記参照図チャンバの中に伸びており、且つ前記ガイドブロックのうち中心に接近している一端には挟み板が固定的に設置され、前記昇降ロッドの中には下に開口したねじ山チャンバが設置され、前記ねじ山チャンバの中にはネジロッドがネジ山により連結され、前記昇降チャンバの下側にはベベルギアチャンバが設置され、前記ネジロッドの下端が前記ベベルギアチャンバの中に伸びており、且つ前記ネジロッドの下端には従動ベベルギアが固定的に連結され、前記従動ベベルギアのうち中心に接近している一端には前記従動ベベルギアと噛み合える駆動ベベルギアが設置され、前記駆動ベベルギアのうち中心に接近している一端には伝動軸が固定的に連結され、前記ベベルギアチャンバの間の中間位置には下に開口した平歯車チャンバが設置され、前記平歯車チャンバの中には前記駆動ベベルギアに固定的に連結されている平歯車が回転できるように設置され、前記入れ替えチャンバの下壁の中には前記平歯車と噛み合えるラックが固定的に設置されており、
前記入れ替え板を前記入れ替えチャンバから移りだして前記挟み板を上昇連動させて開けさせ、前記入れ替え板を移動させて前記入れ替えチャンバの中に入らせて前記挟み板を下降連動させて参照図をきつく挟むことを特徴とする請求項１に記載のパズルを組み立てることを補助できるジグソーパズルおもちゃ。
【発明の詳細な説明】
【技術分野】
【０００１】
本発明はおもちゃ技術分野に関わり、具体的にはパズルを組み立てることを補助できるジグソーパズルおもちゃである。
【背景技術】
【０００２】
おもちゃは子供に楽しさをもたらすと同時に子供の知能も伸ばせ、ジグソーパズルおもちゃは子供の画像への識別能力と記憶力を鍛えられ、しかし、子供の知能は所詮有限であり、そのため、参照図の補助が必要であり、普通のジグソーパズルはパズルの断片と参照図だけを保存し、参照図を参照してパズルを組み立てるのが不便であり、従って、パズルを組み立てることを補助できるジグソーパズルおもちゃを強く求め、本装置は参照図をパズルの下方に置き、参照図を参照しながらパズルの断片を正確な位置に置けばよく、同時に、自分でパズルの断片と参照図を入れ替えることができ、且つ収納性に優れている。
【先行技術文献】
【特許文献】
【０００３】
【特許文献１】中国特許出願公開第102740936号明細書
【発明の概要】
【発明が解決しようとする課題】
【０００４】
本発明はパズルを組み立てることを補助できるジグソーパズルおもちゃを提供し、上記技術にある欠点を解消することを目的とする。
【課題を解決するための手段】
【０００５】
本発明のパズルを組み立てることを補助できるジグソーパズルおもちゃは、主体を含み、前記主体の上側にはカバー板が設置され、前記カバー板の右端が前記主体の右側の上端に回転できるように連結され、前記カバー板の下端面の左端には引っ掛かりフックが固定的に設置され、前記主体の左端面の上端には前記引っ掛かりフックを引っ掛からせることができる引っ掛かりブロックが固定的に設置され、前記主体の中には上方に開口したパズル組み立てチャンバが設置され、前記パズル組み立てチャンバの中の底部には透明板が固定的に設置され、前記パズル組み立てチャンバの左側には上方に開口した保存チャンバが設置され、乱されたパズルの断片を前記保存チャンバの中に保存し、前記パズル組み立てチャンバの下側には遮り装置が設置され、前記遮り装置の下側には入れ替え装置が設置され、前記入れ替え装置の中には挟み装置が設置され、使用しない時、前記カバー板により前記パズル組み立てチャンバと前記保存チャンバとを密封でき、前記パズル組み立てチャンバの中の組み立てられたパズルが散らばることを防止し、且つ前記パズル組み立てチャンバと前記保存チャンバの中のパズルが落ちることを防止し、前記入れ替え装置により組み立てるパズルの完全な図案を前記パズル組み立てチャンバの下側に置き、且つ前記挟み装置によりパズルの断片の左右両端をきつく挟み、前記透明板を通して図案を見られ、またパズルを組み立てることを補助でき、難易度を上げようとする時、前記遮り装置により図案を遮ることができ、子供に自分の画像への識別能力によりパズルを組み立てさせ、
前記入れ替え装置を開けば前記挟み装置を開けられ、前記遮り装置により図案を使用してパズルを組み立てるのを補助するかどうかを選択する。
【０００６】
さらなる技術プランには、前記遮り装置は前記パズル組み立てチャンバの下側に連通して設置されている布巻きチャンバを含み、前記布巻きチャンバの中の左右両側には布巻き筒が対称的に設置され、前記布巻き筒には遮り布が巻き付いており、前記遮り布の両端がそれぞれ左右両側の前記巻布筒に固定され、且つ巻き付いており、前記遮り布は左半分の白い布と右半分の透明プラスチックからなり、前記布巻き筒の後端には回転軸が固定的に連結され、前記布巻きチャンバの後側にはプーリチャンバが設置され、前記回転軸の後端が前記プーリチャンバの中に伸びており、且つ前記回転軸の後端にはタイミングプーリが固定的に設置され、前記タイミングプーリの間には伝動ベルトが巻き付いており、左側の前記タイミングプーリの後端には動力軸が固定的に連結され、前記動力軸の後端が外部に伸びており、且つ前記動力軸の後端には回転盤が固定的に連結されており、
前記回転盤を回転させて前記布巻き筒を回転連動させ、前記遮り布を巻き、且つ前記白い部分と透明な部分を切り替える。
【０００７】
さらなる技術プランには、前記入れ替え装置は、前記布巻きチャンバの下側に連通して設置され、且つ前に開口した入れ替えチャンバを含み、前記入れ替えチャンバの中には入れ替え板がスライドできるように設置され、前記入れ替え板の前端には取っ手が固定的に設置され、前記入れ替え板の中には上に開口した参照図チャンバが設置され、前記挟み装置が前記参照図チャンバの左右両側に対称的に設置され、前記参照図チャンバの左右両壁にはリミット溝が対称的に連通して設置され、前記リミット溝の中には前記入れ替え板に固定的に連結されているリミットブロックがスライドできるように設置されており、
前記取っ手により前記入れ替え板を外部に引き出すことができ、それにより前記参照図チャンバの中の参照図を入れ替えることができる。
【０００８】
さらなる技術プランには、前記挟み装置は前記参照図チャンバの左右両壁の中に対称的に連通して設置されているガイド溝を含み、前記ガイド溝のうち中心から離れている片側には昇降チャンバが連通して設置され、前記昇降チャンバの中には昇降ロッドがスライドできるように設置され、前記昇降ロッドのうち中心に接近している側の端面の上端には前記ガイド溝にスライドできるように連結されているガイドブロックが固定的に連結され、前記ガイドブロックのうち中心に接近している一端が前記参照図チャンバの中に伸びており、且つ前記ガイドブロックのうち中心に接近している一端には挟み板が固定的に設置され、前記昇降ロッドの中には下に開口したねじ山チャンバが設置され、前記ねじ山チャンバの中にはネジロッドがネジ山により連結され、前記昇降チャンバの下側にはベベルギアチャンバが設置され、前記ネジロッドの下端が前記ベベルギアチャンバの中に伸びており、且つ前記ネジロッドの下端には従動ベベルギアが固定的に連結され、前記従動ベベルギアのうち中心に接近している一端には前記従動ベベルギアと噛み合える駆動ベベルギアが設置され、前記駆動ベベルギアのうち中心に接近している一端には伝動軸が固定的に連結され、前記ベベルギアチャンバの間の中間位置には下に開口した平歯車チャンバが設置され、前記平歯車チャンバの中には前記駆動ベベルギアに固定的に連結されている平歯車が回転できるように設置され、前記入れ替えチャンバの下壁の中には前記平歯車と噛み合えるラックが固定的に設置されており、
前記入れ替え板を前記入れ替えチャンバから移りだして前記挟み板を上昇連動させて開けさせ、前記入れ替え板を移動させて前記入れ替えチャンバの中に入らせて前記挟み板を下降連動させて参照図をきつく挟む。
【発明の効果】
【０００９】
本発明の有益な効果は：本発明は構成が簡単で、操作が便利で、本装置によりパズルの断片を指定された区域に置いて組み立てることができ、また自分でパズルの断片とパズルに対応している参照図を入れ替えることができ、需要に応じてパズルを組み立てる時に参照図を使用するかどうかを選択でき、それに収納性に優れており、パズルが散らばることと落ちることを防止できる。
【図面の簡単な説明】
【００１０】
【図１】図１は本発明のパズルを組み立てることを補助できるジグソーパズルおもちゃの内部全体構成模式図
【図２】図２は図１の中のＡ−Ａ方向の構成模式図
【図３】図３は図１の中のＢ−Ｂ方向の構成模式図
【図４】図４は図１の中のＣの拡大模式図
【発明を実施するための形態】
【００１１】
以下に図１−４を交えて本発明について詳しく説明する。便利に叙述するために、後文に出る方位を下記の通りに規定する：後文に出る上下左右前後方向は図１本体の投影関係の上下左右前後方向と一致する。
【００１２】
図１−４を参照し、本発明のパズルを組み立てることを補助できるジグソーパズルおもちゃは、主体１１を含み、前記主体１１の上側にはカバー板１２が設置され、前記カバー板１２の右端が前記主体１１の右側の上端に回転できるように連結され、前記カバー板１２の下端面の左端には引っ掛かりフック４５が固定的に設置され、前記主体１１の左端面の上端には前記引っ掛かりフック４５を引っ掛からせることができる引っ掛かりブロック４６が固定的に設置され、前記主体１１の中には上方に開口したパズル組み立てチャンバ１３が設置され、前記パズル組み立てチャンバ１３の中の底部には透明板１４が固定的に設置され、前記パズル組み立てチャンバ１３の左側には上方に開口した保存チャンバ１５が設置され、乱されたパズルの断片を前記保存チャンバ１５の中に保存し、前記パズル組み立てチャンバ１３の下側には遮り装置１０１が設置され、前記遮り装置１０１の下側には入れ替え装置１０２が設置され、前記入れ替え装置１０２の中には挟み装置１０３が設置され、使用しない時、前記カバー板１２により前記パズル組み立てチャンバ１３と前記保存チャンバ１５とを密封でき、前記パズル組み立てチャンバ１３の中の組み立てられたパズルが散らばることを防止し、且つ前記パズル組み立てチャンバ１３と前記保存チャンバ１５の中のパズルが落ちることを防止し、前記入れ替え装置１０２により組み立てるパズルの完全な図案を前記パズル組み立てチャンバ１３の下側に置き、且つ前記挟み装置１０３によりパズルの断片の左右両端をきつく挟み、前記透明板１４を通して図案を見られ、またパズルを組み立てることを補助でき、難易度を上げようとする時、前記遮り装置１０１により図案を遮ることができ、子供に自分の画像への識別能力によりパズルを組み立てさせ、
前記入れ替え装置１０２を開けば前記挟み装置１０３を開けられ、前記遮り装置１０１により図案を使用してパズルを組み立てるのを補助するかどうかを選択する。
【００１３】
有益なように、前記遮り装置１０１は前記パズル組み立てチャンバ１３の下側に連通して設置されている布巻きチャンバ１６を含み、前記布巻きチャンバ１６の中の左右両側には布巻き筒１７が対称的に設置され、前記布巻き筒１７には遮り布１８が巻き付いており、前記遮り布１８の両端がそれぞれ左右両側の前記巻布筒１７に固定され、且つ巻き付いており、前記遮り布１８は左半分の白い布と右半分の透明プラスチックからなり、前記布巻き筒１７の後端には回転軸１９が固定的に連結され、前記布巻きチャンバ１６の後側にはプーリチャンバ２０が設置され、前記回転軸１９の後端が前記プーリチャンバ２０の中に伸びており、且つ前記回転軸１９の後端にはタイミングプーリ２１が固定的に設置され、前記タイミングプーリ２１の間には伝動ベルト２２が巻き付いており、左側の前記タイミングプーリ２１の後端には動力軸２３が固定的に連結され、前記動力軸２３の後端が外部に伸びており、且つ前記動力軸２３の後端には回転盤２４が固定的に連結されており、
前記回転盤２４を回転させて前記布巻き筒１７を回転連動させ、前記遮り布１８を巻き、且つ前記白い部分と透明な部分を切り替える。
【００１４】
有益なように、前記入れ替え装置１０２は、前記布巻きチャンバ１６の下側に連通して設置され、且つ前に開口した入れ替えチャンバ２５を含み、前記入れ替えチャンバ２５の中には入れ替え板２６がスライドできるように設置され、前記入れ替え板２６の前端には取っ手２７が固定的に設置され、前記入れ替え板２６の中には上に開口した参照図チャンバ２８が設置され、前記挟み装置１０３が前記参照図チャンバ２８の左右両側に対称的に設置され、前記参照図チャンバ２８の左右両壁にはリミット溝２９が対称的に連通して設置され、前記リミット溝２９の中には前記入れ替え板２６に固定的に連結されているリミットブロック３０がスライドできるように設置されており、
前記取っ手２７により前記入れ替え板２６を外部に引き出すことができ、それにより前記参照図チャンバ２８の中の参照図を入れ替えることができる。
【００１５】
有益なように、前記挟み装置１０３は前記参照図チャンバ２８の左右両壁の中に対称的に連通して設置されているガイド溝３１を含み、前記ガイド溝３１のうち中心から離れている片側には昇降チャンバ３２が連通して設置され、前記昇降チャンバ３２の中には昇降ロッド３３がスライドできるように設置され、前記昇降ロッド３３のうち中心に接近している側の端面の上端には前記ガイド溝３１にスライドできるように連結されているガイドブロック３４が固定的に連結され、前記ガイドブロック３４のうち中心に接近している一端が前記参照図チャンバ２８の中に伸びており、且つ前記ガイドブロック３４のうち中心に接近している一端には挟み板３５が固定的に設置され、前記昇降ロッド３３の中には下に開口したねじ山チャンバ３６が設置され、前記ねじ山チャンバ３６の中にはネジロッド３７がネジ山により連結され、前記昇降チャンバ３２の下側にはベベルギアチャンバ３８が設置され、前記ネジロッド３７の下端が前記ベベルギアチャンバ３８の中に伸びており、且つ前記ネジロッド３７の下端には従動ベベルギア３９が固定的に連結され、前記従動ベベルギア３９のうち中心に接近している一端には前記従動ベベルギア３９と噛み合える駆動ベベルギア４０が設置され、前記駆動ベベルギア４０のうち中心に接近している一端には伝動軸４１が固定的に連結され、前記ベベルギアチャンバ３８の間の中間位置には下に開口した平歯車チャンバ４２が設置され、前記平歯車チャンバ４２の中には前記駆動ベベルギア４０に固定的に連結されている平歯車４３が回転できるように設置され、前記入れ替えチャンバ２５の下壁の中には前記平歯車４３と噛み合えるラック４４が固定的に設置されており、
前記入れ替え板２６を前記入れ替えチャンバ２５から移りだして前記挟み板３５を上昇連動させて開けさせ、前記入れ替え板２６を移動させて前記入れ替えチャンバ２５の中に入らせて前記挟み板３５を下降連動させて参照図をきつく挟む。
【００１６】
初期状態の時、カバー板１２が密封状態であり、遮り布１８の白い部分が巻かれ、透明な部分がパズル組み立てチャンバ１３の下側に位置しており、入れ替え板２６が入れ替えチャンバ２５の中に位置している。
【００１７】
参照図を入れる又は入れ替える時、取っ手２７により前へ入れ替え板２６を外部まで引き動かし、この時に平歯車４３が前へ移動し、且つラック４４に沿って回転し、伝動軸４１により駆動ベベルギア４０を回転連動させ、ギアの噛み合いにより従動ベベルギア３９を回転連動させてネジロッド３７を回転連動させ、ねじ山による連結により昇降ロッド３３を上昇連動させ、且つガイドブロック３４により挟み板３５を上昇連動させ、この時に参照図を参照図チャンバ２８の中に平らに置き、且つ参照図の左右両端を挟み板３５の下方に置き、入れ替え板２６を移動させて入れ替えチャンバ２５の中に入らせ、挟み板３５が下降して参照図の左右両端を押してきつく挟み、カバー板１２の左端が上へ反転してカバー板１２が開けられ、パズルの断片を保存チャンバ１５の中に置き、またパズルの断片をパズル組み立てチャンバ１３に置いて組み立て、この時に参照図を参照してパズルを組み立て、参照図を使用したくない時、回転盤２４を回転させて動力軸２３により左側のタイミングプーリ２１を回転連動させ、伝動ベルト２２により右側のタイミングプーリ２１を回転連動させ、回転軸１９により布巻き筒１７を回転連動させ、遮り布１８の透明な部分を巻き、遮り布１８の白い部分がパズル組み立てチャンバ１３の下方に平らに敷かれて参照図を遮る。
【００１８】
本発明の有益な効果は：本発明は構成が簡単で、操作が便利で、本装置によりパズルの断片を指定された区域に置いて組み立てることができ、また自分でパズルの断片とパズルに対応している参照図を入れ替えることができ、需要に応じてパズルを組み立てる時に参照図を使用するかどうかを選択でき、それに収納性に優れており、パズルが散らばることと落ちることを防止できる。
【００１９】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020175064.tif 000003
【図２】
2020175064.tif 000004
【図３】
2020175064.tif 000005
【図４】
2020175064.tif 000006
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
主体を含み、前記主体の上側にはカバー板が設置され、前記カバー板の右端が前記主体の右側の上端に回転できるように連結され、前記カバー板の下端面の左端には引っ掛かりフックが固定的に設置され、前記主体の左端面の上端には前記引っ掛かりフックを引っ掛からせることができる引っ掛かりブロックが固定的に設置され、前記主体の中には上方に開口したパズル組み立てチャンバが設置され、前記パズル組み立てチャンバの中の底部には透明板が固定的に設置され、前記パズル組み立てチャンバの左側には上方に開口した保存チャンバが設置され、乱されたパズルの断片を前記保存チャンバの中に保存し、前記パズル組み立てチャンバの下側には遮り装置が設置され、前記遮り装置の下側には入れ替え装置が設置され、前記入れ替え装置の中には挟み装置が設置され、使用しない時、前記カバー板により前記パズル組み立てチャンバと前記保存チャンバとを密封でき、前記パズル組み立てチャンバの中の組み立てられたパズルが散らばることを防止し、且つ前記パズル組み立てチャンバと前記保存チャンバの中のパズルが落ちることを防止し、前記入れ替え装置により組み立てるパズルの完全な図案を前記パズル組み立てチャンバの下側に置き、且つ前記挟み装置によりパズルの完全な図案の左右両端をきつく挟み、前記透明板を通して図案を見られ、またパズルを組み立てることを補助でき、難易度を上げようとする時、前記遮り装置により図案を遮ることができ、子供に自分の画像への識別能力によりパズルを組み立てさせ、
前記入れ替え装置を開けば前記挟み装置を開けられ、前記遮り装置により図案を使用してパズルを組み立てるのを補助するかどうかを選択することを特徴とするパズルを組み立てることを補助できるジグソーパズルおもちゃ。
【請求項２】
前記遮り装置は前記パズル組み立てチャンバの下側に連通して設置されている布巻きチャンバを含み、前記布巻きチャンバの中の左右両側には布巻き筒が対称的に設置され、前記布巻き筒には遮り布が巻き付いており、前記遮り布の両端がそれぞれ左右両側の前記巻布筒に固定され、且つ巻き付いており、前記遮り布は左半分の白い布と右半分の透明プラスチックからなり、前記布巻き筒の後端には回転軸が固定的に連結され、前記布巻きチャンバの後側にはプーリチャンバが設置され、前記回転軸の後端が前記プーリチャンバの中に伸びており、且つ前記回転軸の後端にはタイミングプーリが固定的に設置され、前記タイミングプーリの間には伝動ベルトが巻き付いており、左側の前記タイミングプーリの後端には動力軸が固定的に連結され、前記動力軸の後端が外部に伸びており、且つ前記動力軸の後端には回転盤が固定的に連結されており、
前記回転盤を回転させて前記布巻き筒を回転連動させ、前記遮り布を巻き、且つ前記白い部分と透明な部分を切り替えることを特徴とする請求項１に記載のパズルを組み立てることを補助できるジグソーパズルおもちゃ。
【請求項３】
前記入れ替え装置は、前記布巻きチャンバの下側に連通して設置され、且つ前に開口した入れ替えチャンバを含み、前記入れ替えチャンバの中には入れ替え板がスライドできるように設置され、前記入れ替え板の前端には取っ手が固定的に設置され、前記入れ替え板の中には上に開口したパズルの完全な図案チャンバが設置され、前記挟み装置が前記パズルの完全な図案チャンバの左右両側に対称的に設置され、前記パズルの完全な図案チャンバの左右両壁にはリミット溝が対称的に連通して設置され、前記リミット溝の中には前記入れ替え板に固定的に連結されているリミットブロックがスライドできるように設置されており、
前記取っ手により前記入れ替え板を外部に引き出すことができ、それにより前記パズルの完全な図案チャンバの中のパズルの完全な図案を入れ替えることができることを特徴とする請求項２に記載のパズルを組み立てることを補助できるジグソーパズルおもちゃ。
【請求項４】
前記挟み装置は前記パズルの完全な図案チャンバの左右両壁の中に対称的に連通して設置されているガイド溝を含み、前記ガイド溝のうち中心から離れている片側には昇降チャンバが連通して設置され、前記昇降チャンバの中には昇降ロッドがスライドできるように設置され、前記昇降ロッドのうち中心に接近している側の端面の上端には前記ガイド溝にスライドできるように連結されているガイドブロックが固定的に連結され、前記ガイドブロックのうち中心に接近している一端が前記パズルの完全な図案チャンバの中に伸びており、且つ前記ガイドブロックのうち中心に接近している一端には挟み板が固定的に設置され、前記昇降ロッドの中には下に開口したねじ山チャンバが設置され、前記ねじ山チャンバの中にはネジロッドがネジ山により連結され、前記昇降チャンバの下側にはベベルギアチャンバが設置され、前記ネジロッドの下端が前記ベベルギアチャンバの中に伸びており、且つ前記ネジロッドの下端には従動ベベルギアが固定的に連結され、前記従動ベベルギアのうち中心に接近している一端には前記従動ベベルギアと噛み合える駆動ベベルギアが設置され、前記駆動ベベルギアのうち中心に接近している一端には伝動軸が固定的に連結され、前記ベベルギアチャンバの間の中間位置には下に開口した平歯車チャンバが設置され、前記平歯車チャンバの中には前記駆動ベベルギアに固定的に連結されている平歯車が回転できるように設置され、前記入れ替えチャンバの下壁の中には前記平歯車と噛み合えるラックが固定的に設置されており、
前記入れ替え板を前記入れ替えチャンバから移りだして前記挟み板を上昇連動させて開けさせ、前記入れ替え板を移動させて前記入れ替えチャンバの中に入らせて前記挟み板を下降連動させてパズルの完全な図案をきつく挟むことを特徴とする請求項３に記載のパズルを組み立てることを補助できるジグソーパズルおもちゃ。
【手続補正２】
【補正対象書類名】明細書
【補正対象項目名】全文
【補正方法】変更
【補正の内容】
【発明の詳細な説明】
【技術分野】
【０００１】
本発明はおもちゃ技術分野に関わり、具体的にはパズルを組み立てることを補助できるジグソーパズルおもちゃである。
【背景技術】
【０００２】
おもちゃは子供に楽しさをもたらすと同時に子供の知能も伸ばせ、ジグソーパズルおもちゃは子供の画像への識別能力と記憶力を鍛えられ、しかし、子供の知能は所詮有限であり、そのため、パズルの完全な図案の補助が必要であり、普通のジグソーパズルはパズルの断片とパズルの完全な図案だけを保存し、パズルの完全な図案を参照してパズルを組み立てるのが不便であり、従って、パズルを組み立てることを補助できるジグソーパズルおもちゃを強く求め、本装置はパズルの完全な図案をパズルの下方に置き、パズルの完全な図案を参照しながらパズルの断片を正確な位置に置けばよく、同時に、自分でパズルの断片とパズルの完全な図案を入れ替えることができ、且つ収納性に優れている。
【先行技術文献】
【特許文献】
【０００３】
【特許文献１】中国特許出願公開第１０２７４０９３６号明細書
【発明の概要】
【発明が解決しようとする課題】
【０００４】
本発明はパズルを組み立てることを補助できるジグソーパズルおもちゃを提供し、上記技術にある欠点を解消することを目的とする。
【課題を解決するための手段】
【０００５】
本発明のパズルを組み立てることを補助できるジグソーパズルおもちゃは、主体を含み、前記主体の上側にはカバー板が設置され、前記カバー板の右端が前記主体の右側の上端に回転できるように連結され、前記カバー板の下端面の左端には引っ掛かりフックが固定的に設置され、前記主体の左端面の上端には前記引っ掛かりフックを引っ掛からせることができる引っ掛かりブロックが固定的に設置され、前記主体の中には上方に開口したパズル組み立てチャンバが設置され、前記パズル組み立てチャンバの中の底部には透明板が固定的に設置され、前記パズル組み立てチャンバの左側には上方に開口した保存チャンバが設置され、乱されたパズルの断片を前記保存チャンバの中に保存し、前記パズル組み立てチャンバの下側には遮り装置が設置され、前記遮り装置の下側には入れ替え装置が設置され、前記入れ替え装置の中には挟み装置が設置され、使用しない時、前記カバー板により前記パズル組み立てチャンバと前記保存チャンバとを密封でき、前記パズル組み立てチャンバの中の組み立てられたパズルが散らばることを防止し、且つ前記パズル組み立てチャンバと前記保存チャンバの中のパズルが落ちることを防止し、前記入れ替え装置により組み立てるパズルの完全な図案を前記パズル組み立てチャンバの下側に置き、且つ前記挟み装置によりパズルの完全な図案の左右両端をきつく挟み、前記透明板を通して図案を見られ、またパズルを組み立てることを補助でき、難易度を上げようとする時、前記遮り装置により図案を遮ることができ、子供に自分の画像への識別能力によりパズルを組み立てさせ、
前記入れ替え装置を開けば前記挟み装置を開けられ、前記遮り装置により図案を使用してパズルを組み立てるのを補助するかどうかを選択する。
【０００６】
さらなる技術プランには、前記遮り装置は前記パズル組み立てチャンバの下側に連通して設置されている布巻きチャンバを含み、前記布巻きチャンバの中の左右両側には布巻き筒が対称的に設置され、前記布巻き筒には遮り布が巻き付いており、前記遮り布の両端がそれぞれ左右両側の前記巻布筒に固定され、且つ巻き付いており、前記遮り布は左半分の白い布と右半分の透明プラスチックからなり、前記布巻き筒の後端には回転軸が固定的に連結され、前記布巻きチャンバの後側にはプーリチャンバが設置され、前記回転軸の後端が前記プーリチャンバの中に伸びており、且つ前記回転軸の後端にはタイミングプーリが固定的に設置され、前記タイミングプーリの間には伝動ベルトが巻き付いており、左側の前記タイミングプーリの後端には動力軸が固定的に連結され、前記動力軸の後端が外部に伸びており、且つ前記動力軸の後端には回転盤が固定的に連結されており、
前記回転盤を回転させて前記布巻き筒を回転連動させ、前記遮り布を巻き、且つ前記白い部分と透明な部分を切り替える。
【０００７】
さらなる技術プランには、前記入れ替え装置は、前記布巻きチャンバの下側に連通して設置され、且つ前に開口した入れ替えチャンバを含み、前記入れ替えチャンバの中には入れ替え板がスライドできるように設置され、前記入れ替え板の前端には取っ手が固定的に設置され、前記入れ替え板の中には上に開口したパズルの完全な図案チャンバが設置され、前記挟み装置が前記パズルの完全な図案チャンバの左右両側に対称的に設置され、前記パズルの完全な図案チャンバの左右両壁にはリミット溝が対称的に連通して設置され、前記リミット溝の中には前記入れ替え板に固定的に連結されているリミットブロックがスライドできるように設置されており、
前記取っ手により前記入れ替え板を外部に引き出すことができ、それにより前記パズルの完全な図案チャンバの中のパズルの完全な図案を入れ替えることができる。
【０００８】
さらなる技術プランには、前記挟み装置は前記パズルの完全な図案チャンバの左右両壁の中に対称的に連通して設置されているガイド溝を含み、前記ガイド溝のうち中心から離れている片側には昇降チャンバが連通して設置され、前記昇降チャンバの中には昇降ロッドがスライドできるように設置され、前記昇降ロッドのうち中心に接近している側の端面の上端には前記ガイド溝にスライドできるように連結されているガイドブロックが固定的に連結され、前記ガイドブロックのうち中心に接近している一端が前記パズルの完全な図案チャンバの中に伸びており、且つ前記ガイドブロックのうち中心に接近している一端には挟み板が固定的に設置され、前記昇降ロッドの中には下に開口したねじ山チャンバが設置され、前記ねじ山チャンバの中にはネジロッドがネジ山により連結され、前記昇降チャンバの下側にはベベルギアチャンバが設置され、前記ネジロッドの下端が前記ベベルギアチャンバの中に伸びており、且つ前記ネジロッドの下端には従動ベベルギアが固定的に連結され、前記従動ベベルギアのうち中心に接近している一端には前記従動ベベルギアと噛み合える駆動ベベルギアが設置され、前記駆動ベベルギアのうち中心に接近している一端には伝動軸が固定的に連結され、前記ベベルギアチャンバの間の中間位置には下に開口した平歯車チャンバが設置され、前記平歯車チャンバの中には前記駆動ベベルギアに固定的に連結されている平歯車が回転できるように設置され、前記入れ替えチャンバの下壁の中には前記平歯車と噛み合えるラックが固定的に設置されており、
前記入れ替え板を前記入れ替えチャンバから移りだして前記挟み板を上昇連動させて開けさせ、前記入れ替え板を移動させて前記入れ替えチャンバの中に入らせて前記挟み板を下降連動させてパズルの完全な図案をきつく挟む。
【発明の効果】
【０００９】
本発明の有益な効果は：本発明は構成が簡単で、操作が便利で、本装置によりパズルの断片を指定された区域に置いて組み立てることができ、また自分でパズルの断片とパズルに対応しているパズルの完全な図案を入れ替えることができ、需要に応じてパズルを組み立てる時にパズルの完全な図案を使用するかどうかを選択でき、それに収納性に優れており、パズルが散らばることと落ちることを防止できる。
【図面の簡単な説明】
【００１０】
【図１】図１は本発明のパズルを組み立てることを補助できるジグソーパズルおもちゃの内部全体構成模式図
【図２】図２は図１の中のＡ−Ａ方向の構成模式図
【図３】図３は図１の中のＢ−Ｂ方向の構成模式図
【図４】図４は図１の中のＣの拡大模式図
【発明を実施するための形態】
【００１１】
以下に図１−４を交えて本発明について詳しく説明する。便利に叙述するために、後文に出る方位を下記の通りに規定する：後文に出る上下左右前後方向は図１本体の投影関係の上下左右前後方向と一致する。
【００１２】
図１−４を参照し、本発明のパズルを組み立てることを補助できるジグソーパズルおもちゃは、主体１１を含み、前記主体１１の上側にはカバー板１２が設置され、前記カバー板１２の右端が前記主体１１の右側の上端に回転できるように連結され、前記カバー板１２の下端面の左端には引っ掛かりフック４５が固定的に設置され、前記主体１１の左端面の上端には前記引っ掛かりフック４５を引っ掛からせることができる引っ掛かりブロック４６が固定的に設置され、前記主体１１の中には上方に開口したパズル組み立てチャンバ１３が設置され、前記パズル組み立てチャンバ１３の中の底部には透明板１４が固定的に設置され、前記パズル組み立てチャンバ１３の左側には上方に開口した保存チャンバ１５が設置され、乱されたパズルの断片を前記保存チャンバ１５の中に保存し、前記パズル組み立てチャンバ１３の下側には遮り装置１０１が設置され、前記遮り装置１０１の下側には入れ替え装置１０２が設置され、前記入れ替え装置１０２の中には挟み装置１０３が設置され、使用しない時、前記カバー板１２により前記パズル組み立てチャンバ１３と前記保存チャンバ１５とを密封でき、前記パズル組み立てチャンバ１３の中の組み立てられたパズルが散らばることを防止し、且つ前記パズル組み立てチャンバ１３と前記保存チャンバ１５の中のパズルが落ちることを防止し、前記入れ替え装置１０２により組み立てるパズルの完全な図案を前記パズル組み立てチャンバ１３の下側に置き、且つ前記挟み装置１０３によりパズルの完全な図案の左右両端をきつく挟み、前記透明板１４を通して図案を見られ、またパズルを組み立てることを補助でき、難易度を上げようとする時、前記遮り装置１０１により図案を遮ることができ、子供に自分の画像への識別能力によりパズルを組み立てさせ、
前記入れ替え装置１０２を開けば前記挟み装置１０３を開けられ、前記遮り装置１０１により図案を使用してパズルを組み立てるのを補助するかどうかを選択する。
【００１３】
有益なように、前記遮り装置１０１は前記パズル組み立てチャンバ１３の下側に連通して設置されている布巻きチャンバ１６を含み、前記布巻きチャンバ１６の中の左右両側には布巻き筒１７が対称的に設置され、前記布巻き筒１７には遮り布１８が巻き付いており、前記遮り布１８の両端がそれぞれ左右両側の前記巻布筒１７に固定され、且つ巻き付いており、前記遮り布１８は左半分の白い布と右半分の透明プラスチックからなり、前記布巻き筒１７の後端には回転軸１９が固定的に連結され、前記布巻きチャンバ１６の後側にはプーリチャンバ２０が設置され、前記回転軸１９の後端が前記プーリチャンバ２０の中に伸びており、且つ前記回転軸１９の後端にはタイミングプーリ２１が固定的に設置され、前記タイミングプーリ２１の間には伝動ベルト２２が巻き付いており、左側の前記タイミングプーリ２１の後端には動力軸２３が固定的に連結され、前記動力軸２３の後端が外部に伸びており、且つ前記動力軸２３の後端には回転盤２４が固定的に連結されており、前記回転盤２４を回転させて前記布巻き筒１７を回転連動させ、前記遮り布１８を巻き、且つ前記白い部分と透明な部分を切り替える。
【００１４】
有益なように、前記入れ替え装置１０２は、前記布巻きチャンバ１６の下側に連通して設置され、且つ前に開口した入れ替えチャンバ２５を含み、前記入れ替えチャンバ２５の中には入れ替え板２６がスライドできるように設置され、前記入れ替え板２６の前端には取っ手２７が固定的に設置され、前記入れ替え板２６の中には上に開口したパズルの完全な図案チャンバ２８が設置され、前記挟み装置１０３が前記パズルの完全な図案チャンバ２８の左右両側に対称的に設置され、前記パズルの完全な図案チャンバ２８の左右両壁にはリミット溝２９が対称的に連通して設置され、前記リミット溝２９の中には前記入れ替え板２６に固定的に連結されているリミットブロック３０がスライドできるように設置されており、
前記取っ手２７により前記入れ替え板２６を外部に引き出すことができ、それにより前記パズルの完全な図案チャンバ２８の中のパズルの完全な図案を入れ替えることができる。
【００１５】
有益なように、前記挟み装置１０３は前記パズルの完全な図案チャンバ２８の左右両壁の中に対称的に連通して設置されているガイド溝３１を含み、前記ガイド溝３１のうち中心から離れている片側には昇降チャンバ３２が連通して設置され、前記昇降チャンバ３２の中には昇降ロッド３３がスライドできるように設置され、前記昇降ロッド３３のうち中心に接近している側の端面の上端には前記ガイド溝３１にスライドできるように連結されているガイドブロック３４が固定的に連結され、前記ガイドブロック３４のうち中心に接近している一端が前記パズルの完全な図案チャンバ２８の中に伸びており、且つ前記ガイドブロック３４のうち中心に接近している一端には挟み板３５が固定的に設置され、前記昇降ロッド３３の中には下に開口したねじ山チャンバ３６が設置され、前記ねじ山チャンバ３６の中にはネジロッド３７がネジ山により連結され、前記昇降チャンバ３２の下側にはベベルギアチャンバ３８が設置され、前記ネジロッド３７の下端が前記ベベルギアチャンバ３８の中に伸びており、且つ前記ネジロッド３７の下端には従動ベベルギア３９が固定的に連結され、前記従動ベベルギア３９のうち中心に接近している一端には前記従動ベベルギア３９と噛み合える駆動ベベルギア４０が設置され、前記駆動ベベルギア４０のうち中心に接近している一端には伝動軸４１が固定的に連結され、前記ベベルギアチャンバ３８の間の中間位置には下に開口した平歯車チャンバ４２が設置され、前記平歯車チャンバ４２の中には前記駆動ベベルギア４０に固定的に連結されている平歯車４３が回転できるように設置され、前記入れ替えチャンバ２５の下壁の中には前記平歯車４３と噛み合えるラック４４が固定的に設置されており、
前記入れ替え板２６を前記入れ替えチャンバ２５から移りだして前記挟み板３５を上昇連動させて開けさせ、前記入れ替え板２６を移動させて前記入れ替えチャンバ２５の中に入らせて前記挟み板３５を下降連動させてパズルの完全な図案をきつく挟む。
【００１６】
初期状態の時、カバー板１２が密封状態であり、遮り布１８の白い部分が巻かれ、透明な部分がパズル組み立てチャンバ１３の下側に位置しており、入れ替え板２６が入れ替えチャンバ２５の中に位置している。
【００１７】
パズルの完全な図案を入れる又は入れ替える時、取っ手２７により前へ入れ替え板２６を外部まで引き動かし、この時に平歯車４３が前へ移動し、且つラック４４に沿って回転し、伝動軸４１により駆動ベベルギア４０を回転連動させ、ギアの噛み合いにより従動ベベルギア３９を回転連動させてネジロッド３７を回転連動させ、ねじ山による連結により昇降ロッド３３を上昇連動させ、且つガイドブロック３４により挟み板３５を上昇連動させ、この時にパズルの完全な図案をパズルの完全な図案チャンバ２８の中に平らに置き、且つパズルの完全な図案の左右両端を挟み板３５の下方に置き、入れ替え板２６を移動させて入れ替えチャンバ２５の中に入らせ、挟み板３５が下降してパズルの完全な図案の左右両端を押してきつく挟み、カバー板１２の左端が上へ反転してカバー板１２が開けられ、パズルの断片を保存チャンバ１５の中に置き、またパズルの断片をパズル組み立てチャンバ１３に置いて組み立て、この時にパズルの完全な図案を参照してパズルを組み立て、パズルの完全な図案を使用したくない時、回転盤２４を回転させて動力軸２３により左側のタイミングプーリ２１を回転連動させ、伝動ベルト２２により右側のタイミングプーリ２１を回転連動させ、回転軸１９により布巻き筒１７を回転連動させ、遮り布１８の透明な部分を巻き、遮り布１８の白い部分がパズル組み立てチャンバ１３の下方に平らに敷かれてパズルの完全な図案を遮る。
【００１８】
本発明の有益な効果は：本発明は構成が簡単で、操作が便利で、本装置によりパズルの断片を指定された区域に置いて組み立てることができ、また自分でパズルの断片とパズルに対応しているパズルの完全な図案を入れ替えることができ、需要に応じてパズルを組み立てる時にパズルの完全な図案を使用するかどうかを選択でき、それに収納性に優れており、パズルが散らばることと落ちることを防止できる。
【００１９】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。